(57)【要約】【課題】  コンテナにごみ袋を投棄する許可の有無を自動判別し、無許可投棄を防止するとともに、ごみ袋の中に金属などの異物が含まれていた場合、コンテナへの投棄をその場で拒否し、コンテナ回収後の集中処理ヤードでの判別負担を軽減し、異物混入によるごみ処理設備の故障を未然に防止する。【解決手段】  投棄情報を読み書き可能なＩＣタグ２１を付けたごみ袋２の投入口近くに金属などの異物検知装置およびＩＣタグリーダ／ライタ３１を備え、ＩＣタグ２１に正規の投棄情報があっても、金属などの異物を検知した時には、投入口を閉じた状態に保持する廃棄物管理コンテナ３を提案する。ごみの不法投棄を防止し、ごみ投棄許可者の投棄時間への制約をなくす。万が一ごみ袋に金属などの異物を混入させた場合にも投棄者を自動的に特定できるので、ごみの分別投棄を徹底させ、異物混入によるごみ処理設備の故障を未然に防止できる。【選択図】        図１
2007137584.tif 000002
【特許請求の範囲】
【請求項１】
投棄情報を読み書き可能なＩＣタグを付けたごみ袋の投入口近くに金属などの異物検知装置およびＩＣタグリーダ／ライタを備え、前記ＩＣタグに正規の投棄情報があっても金属などの異物を検知した時には前記投入口を閉じた状態に保持する廃棄物管理コンテナ。
【請求項２】
投棄情報を読み書き可能なＩＣタグを付けたごみ袋の投入口近くに金属などの異物検知装置およびＩＣタグリーダ／ライタを備え、前記ＩＣタグに正規の投棄情報があっても金属などの異物を検知した時には前記投入口を閉じた状態に保持する投入口パネルと、
前記投入口パネルに着脱可能で投入されたごみ袋を受け入れ集中処理ヤードとの間で往復し反復使用される汎用容器とからなる廃棄物管理コンテナ。
【請求項３】
請求項１または２に記載の廃棄物管理コンテナで回収されたごみ袋を搬送するコンベアと、当該コンベアの搬送路近くに配置され金属などの異物検知装置およびＩＣタグリーダ／ライタとを含む廃棄物管理システム。
【発明の詳細な説明】
【技術分野】
【０００１】
本発明は、廃棄物管理システムに係り、特に、コンテナへのごみ袋投棄許可の有無およびごみの種類の自動判別手段と、投棄許可があってもごみ袋内に金属などの異物がある場合に、投棄を未然に阻止する廃棄物管理コンテナに関する。
【背景技術】
【０００２】
ごみ袋をコンテナに投棄し回収する方式の場合、そのコンテナに投棄許可が無い外来者などがごみ袋を投棄することがある。外来者などの投棄を防止する手段として、コンテナに鍵をかけてコンテナの管理者以外は投棄できないようにする方法がある。
【０００３】
この方法では、コンテナに回収された各ごみ袋の中に金属などの異物が含まれていた時にそのごみ袋を投棄した者の情報などを取得するには、ごみ袋に投棄者の情報を記載するようにしていた。
【０００４】
上記従来技術は、コンテナにごみ袋を投棄する許可の有無を自動判定する機能が無く、不法投棄を防止するには、管理者を置く必要があり、ごみ投棄可能な時間が限定されるなどの制約があった。
【０００５】
また、コンテナに回収されたごみ袋の投棄者情報を自動的に取得する機能が無く、回収されたごみ袋の中に金属などの異物が含まれていた場合、ごみ袋に記載された投棄者の情報を手動で読み取らなければならなかった。
【０００６】
この問題を解決するために、ごみ袋にＩＣタグを付け、ごみ袋投棄許可の有無を自動的に判定する方式が提案されている(例えば、特許文献１参照)。
【０００７】
また、ＩＣタグに排出事業者コードを取り込み、コンテナに回収された医療廃棄物の投棄者情報を自動的に取得する方式が提案されている(例えば、特許文献２参照)。
【０００８】
【特許文献１】特開平２００５−００８３３９号公報(第７，８頁  図２，図３)
【特許文献２】特開平２００５−０６６４５８号公報(第４，５頁  図１〜図３)
【発明の開示】
【発明が解決しようとする課題】
【０００９】
上記ＩＣタグを取り付ける方法を採用しても、コンテナを回収して集中処理する場合、コンテナに投入後直ちに異物を検知し回収するとは限らないので、回収後に集中処理ヤードで金属などの異物を検知しても、投入時期と投入者への報告時期にずれがあり、異物を混入した者のエコロジー意識に訴えにくかった。
【００１０】
また、金属などの異物混入により、例えばＲＤＦ(廃棄物から得られた固形燃料)製造装置などのごみ処理設備の故障を招き、耐用年数が短くなるなどの問題があった。
【００１１】
本発明の課題は、コンテナにごみ袋を投棄する許可の有無を自動判別し、許可の無い外来者などによる投棄を防止するとともに、ごみ袋の中に金属などの異物が含まれていた場合、コンテナへの投棄をその場で拒否し、コンテナ回収後の集中処理ヤードにおける判別の負担を軽減し、金属などの異物混入によるごみ処理設備の故障を未然に防止する廃棄物管理コンテナを提供することである。
【課題を解決するための手段】
【００１２】
本発明は、上記課題を解決するために、投棄情報を読み書き可能なＩＣタグを付けたごみ袋の投入口近くに金属などの異物検知装置およびＩＣタグリーダ／ライタを備え、前記ＩＣタグに正規の投棄情報があっても金属などの異物を検知した時には前記投入口を閉じた状態に保持する廃棄物管理コンテナを提案する。
【００１３】
本発明は、また、投棄情報を読み書き可能なＩＣタグを付けたごみ袋の投入口近くに金属などの異物検知装置およびＩＣタグリーダ／ライタを備え、前記ＩＣタグに正規の投棄情報があっても金属などの異物を検知した時には前記投入口を閉じた状態に保持する投入口パネルと、前記投入口パネルに着脱可能で投入されたごみ袋を受け入れ集中処理ヤードとの間で往復し反復使用される汎用容器とからなる廃棄物管理コンテナを提案する。
【００１４】
本発明は、さらに、前記廃棄物管理コンテナで回収されたごみ袋を搬送するコンベアと、当該コンベアの搬送路近くに配置され金属などの異物検知装置およびＩＣタグリーダ／ライタとを含む廃棄物管理システムを提案する。
【発明の効果】
【００１５】
本発明によれば、コンテナにごみ袋を投棄する許可の有無を自動判別し、許可の無い外来者などによる投棄を防止できることはもちろん、ごみ袋の中に金属などの異物が含まれていた場合、コンテナへの投棄をその場で拒否し、コンテナ回収後の集中処理ヤードにおける判別の負担を軽減でき、金属などの異物混入によるごみ処理設備の故障を未然に防止する廃棄物管理コンテナが得られる。
【発明を実施するための最良の形態】
【００１６】
従来の方法では、異物混入者へのリアルタイムの情報フィードバック系が無い。また、異物が混入したごみを誰が誰の負担で最終的に処分するのかの認識が投入者に無かった。
【００１７】
このように、回収後に集中処理ヤードで金属などの異物を検知しても、投入時期と投入者への報告時期にずれがあり、異物を混入した者のエコロジー意識に訴えにくかったので、集中処理ヤードで異物を検知して、本人に後日注意するよりも、投入現場で本人の注意を喚起する方が良いと考えられる。
【００１８】
従来の方法では、製薬会社などの特定のごみ発生先だけを前提としている。この方法を一般に広げようとすると、たまたま間違って入れたという性善説では、もはやだめである。駅のごみ箱や高速道路のサービスエリアのごみ箱などに、家庭ごみを廃棄する事例が報告されている。
【００１９】
そこで、本発明では、異物を混入したごみを最初から受け入れ拒否し、集中処理ヤードの段階では、基本的に金属などの異物を検知しないで済むようなシステムを構築することにした。
【００２０】
投棄情報を読み書き可能なＩＣタグを付けたごみ袋の投入口近くに金属などの異物検知装置およびＩＣタグリーダ／ライタを備え、ＩＣタグに正規の投棄情報があっても金属などの異物を検知した時には投入口を閉じた状態に保持する廃棄物管理コンテナ器を設置する。
【００２１】
ただし、この方式では、各コンテナのコストが上がるので、ごみ袋を受け取り集中処理ヤードとの間を往復する容器としては従来の汎用容器を使い、汎用容器と異物検知装置およびＩＣタグリーダ／ライタが付いた投入口パネルとを組み合わせる。
【００２２】
次に、図１および図２を参照して、本発明による廃棄物管理コンテナおよび実施形態を図面および図面に付した符号を引用して説明する。
【実施例１】
【００２３】
図１は、本発明による廃棄物管理コンテナの構成を示す斜視図である。
【００２４】
本実施例の特徴は、分別回収方式のコンテナ３のそれぞれにおいて、投入口付近に異物検知装置およびＩＣタグリーダ／ライタ３１を設置したことである。
【００２５】
ごみ投棄者には、ＩＣタグライタ１により事前に投棄許可情報およびごみの種類が入力されたＩＣタグ２１を有するごみ袋２が配布される。
【００２６】
ごみ投棄者は、ＩＣタグライタ１を用いて、ごみ投棄元（部署），投棄元の責任者，連絡先をＩＣタグ２１に入力する。ごみ投棄者は、配布されたごみ袋２が許可する種類のごみのみを入れる。
【００２７】
ごみ投棄者は、許可された種類のごみを入れたごみ袋２を異物検知装置およびＩＣタグリーダ／ライタ３１を有するコンテナ３に近づけ、コンテナ３にごみ袋２のＩＣタグ２１から投棄情報を読み取らせる。
【００２８】
コンテナ３は、金属などの異物が無く、読み取った投棄情報から投棄許可を確認でき、かつ、コンテナ３とごみ袋２のごみの種類とが一致した場合のみ、コンテナ３の蓋が自動に開き、ごみ袋２の投棄が可能となる。
【００２９】
異物検知装置およびＩＣタグリーダ／ライタ３１は、ごみ投棄時に追加情報として、コンテナ３に内蔵された時計機能を利用して、投棄日時および投棄されたコンテナ３の所在場所などを投棄履歴としてＩＣタグ２１に書き込む。
【００３０】
もし、金属などの異物が混入していた場合、投棄許可が無い場合、コンテナ３とごみ袋２のごみの種類とが一致しない場合は、その投入口を開かず、受け取りを拒否する旨とその理由とを表示したり、アナウンスしたりすることもできる。
【００３１】
この方式を採用すれば、例えば、駅のごみ箱や高速道路のサービスエリアのごみ箱などに、元々投棄許可の無い家庭ごみを廃棄することを防止できる。
【００３２】
ごみ袋２の中に金属などの異物が含まれていた場合、コンテナ３への投棄をその場で拒否し、コンテナ３を回収した後の集中処理ヤードにおける判別の負担を軽減でき、金属などの異物混入によるごみ処理設備の故障を未然に防止する廃棄物管理コンテナが得られる。
【実施例２】
【００３３】
実施例１の方式では、可搬の各コンテナに異物検知装置およびＩＣタグリーダ／ライタ３１を設置する構造上、各コンテナのコストが上がる。また、各コンテナを運搬する際に、コンテナを他のコンテナとぶっつけたり、落下させたりする場合もあり、異物検知装置およびＩＣタグリーダ／ライタ３１の耐久性には好ましくない。
【００３４】
本実施例２においては、ごみ袋２を受け取り集中処理ヤードとの間を往復する容器としては従来の汎用容器を使い、汎用容器と異物検知装置およびＩＣタグリーダ／ライタ３１が付いた投入口パネルとを組み合わせる。
【００３５】
本実施例２によれば、異物検知装置およびＩＣタグリーダ／ライタ３１が付いた投入口パネルを投棄指定エリアに残し、汎用容器だけを交換して、集中処理ヤードとの間で往復させればよいので、異物検知装置およびＩＣタグリーダ／ライタ３１の耐久性を維持できる。
【実施例３】
【００３６】
図２は、本発明による廃棄物管理システムの集中処理ヤードに設置された部分の構成を示す斜視図である。
【００３７】
実施例１，２の方式によれば、基本的に金属などの異物は混入しないはずである。
【００３８】
しかし、例えば、スチール缶を受け入れないように設定してある場合、他の金属をすべて検出し、投入を拒否できるとは限らない。
【００３９】
そこで、コンテナ３内に回収された各ごみ袋２に金属などの異物が誤って混入していた場合、ごみの分別投棄を徹底するために、誤って異物を混入させた投棄者を特定する必要がある。
【００４０】
本実施例の廃棄物管理システムにおいて集中処理ヤードに設置された部分は、従来の分別処理システムと構成が似ているので、従来のシステムをそのまま転用できる。
【００４１】
この廃棄物管理システムでは、コンテナ３で回収された各ごみ袋２をベルトコンベア４３で搬送し、金属などの異物検知装置４を通過させ、異物の有無を検査する。もし異物が検出された場合、アラーム音を発生させるとともに、ＩＣタグリーダ４１によりごみ袋２のＩＣタグ２１から投棄情報を読み取り、表示パネル４２に表示し、異物混入の事実を記録する。
【００４２】
この記録をオンラインまたはオフラインで投棄者に連絡し、注意を促す。
【００４３】
本実施例３によれば、ごみ投棄を許可されていない外来者などによる不法投棄を自動的に防止し管理でき、コンテナの管理者の常駐を不要にし、投棄許可者のごみ投棄時間の制約をなくせる。また、種類の異なるごみ袋２を誤ってコンテナ３に投棄することを防止できる。
【００４４】
万が一、回収ごみ袋２内に金属などの異物が混入していた場合、誤って異物を混入させた投棄者の情報を自動的に特定できるので、ごみの分別投棄が徹底され、金属などの異物混入によるごみ処理設備の故障を未然に防止できる。
【図面の簡単な説明】
【００４５】
【図１】本発明による廃棄物管理コンテナの構成を示す斜視図である。
【図２】本発明による集中処理ヤードに設置された部分の構成を示す斜視図である。
【符号の説明】
【００４６】
１  ＩＣタグライタ
２  ごみ袋
２１  ＩＣタグ
３  コンテナ
３１  異物検知装置およびＩＣタグリーダ／ライタ
４  金属などの異物検知装置
４１  ＩＣタグリーダ
４２  表示パネル
４３  ベルトコンベア
【図１】
2007137584.tif 000003
【図２】
2007137584.tif 000004